(57)【要約】【課題】  縦枠および縦框間の止水ラインを越えて脱衣室側に侵入した排水を、脱衣室床に達しないようにする建具のシール構造および浴室建具を提供することを課題とする。【解決手段】  建具枠２とこれに開閉自在に装着された障子３とから成り、縦方向の止水ラインを構成する縦シール部材５７により各縦枠１３，１４と閉塞状態の各縦框２３，２４との間をシールするようにした建具のシール構造において、障子３、各縦枠１３，１４および下枠１２により画成される脱衣室Ｂ側の各コーナー部分に、それぞれ水返しブロック８，８を備え、各水返しブロック８は、止水ラインを越えて脱衣室Ｂ側に侵入し各縦枠１３，１４および各縦框２３，２４を伝って流下する排水を、下側から受けて貯留する貯留部１０２を有している。【選択図】  図１
2005336927.tif 000002
【特許請求の範囲】
【請求項１】
建具枠とこれに開閉自在に装着された障子とから成り、縦方向の止水ラインを構成する縦シール部材により建具枠の各縦枠と閉塞状態の障子の各縦框との間をシールするようにした建具のシール構造において、
前記障子、前記各縦枠および前記建具枠の下枠により画成される脱衣室側の各コーナー部分に、それぞれ水返しブロックを備え、
前記各水返しブロックは、前記止水ラインを越えて脱衣室側に侵入し前記各縦枠および前記各縦框を伝って流下する排水を、下側から受けて貯留する貯留部を有していることを特徴とする建具のシール構造。
【請求項２】
前記水返しブロックは、弾力性を有するシール性材料で構成され、
前記縦框に対峙する縦框当接部は、閉塞状態の前記縦框に密接すると共に閉塞状態の前記縦框により閉蓋される前記貯留部の排水開口部を有していることを特徴とする請求項１に記載の建具のシール構造。
【請求項３】
前記貯留部の底面は、前記排水開口部に向かって下り勾配に形成されていることを特徴とする請求項２に記載の建具のシール構造。
【請求項４】
前記水返しブロックの前記縦枠に対峙する縦枠当接部は、前記縦枠に密接していることを特徴とする請求項２または３に記載の建具のシール構造。
【請求項５】
前記下枠の脱衣室側には、前記障子の脱衣室側下端部に密接する下枠シール部材が設けられ、
前記下枠シール部材の各小口は、前記各水返しブロックの側面に密接していることを特徴とする請求項２ないし４のいずれかに記載の建具のシール構造。
【請求項６】
前記各水返しブロックは、前記下枠の小口から略「Ｕ」字状に切り込んだ切欠き部に、見付け方向から上方へ抜止め状態でスライド装着されていることを特徴とする請求項１ないし５のいずれかに記載の建具のシール構造。
【請求項７】
請求項１ないし６のいずれかに記載の建具のシール構造を備えたことを特徴とする浴室建具。
【発明の詳細な説明】
【技術分野】
【０００１】
本発明は、シャワー室を含む浴室において、その出入口として設けられるドア、折戸、引戸等の建具のシール構造およびこれを備えた浴室建具に関するものである。
【背景技術】
【０００２】
従来、この種の建具のシール構造として、浴室ドアに適用したものが知られている。この浴室ドアでは、ドア本体（障子）の左右の縦框とこれに対峙するドア枠の左右の縦枠との間において、浴室側には左右対称を為すように一対の浴室側縦シール部材が介設され、また脱衣室側には左右対称を為すように一対の脱衣室側縦シール部材が介設されている。すなわち、浴室ドアとドア本体との間が、浴室側と脱衣室側とで２重にシールされている。
この場合、各浴室側縦シール部材は、各縦枠の浴室側に形成したシール装着部に装着され、その先端部を前記各縦框の浴室側部分に密接している。同様に、各脱衣室側縦シール部材は、各縦枠の脱衣室側に形成したシール装着部に装着され、その先端部を前記各縦框の脱衣室側部分に密接している。
【特許文献１】特開２００１−１４６８４９号公報
【発明の開示】
【発明が解決しようとする課題】
【０００３】
このような従来の建具のシール構造では、浴室の使用により浴室と脱衣室との温度差が大きくなると、特に縦框に熱膨張による反り（熱反り）が生ずる。これにより、特に脱衣室側に位置する縦シール部材では、高さ方向の中間位置で縦シールが縦框から離れ、あるいは密接力が弱まりシール切れが発生する問題があった。また、経年変化や繰返し応力により、縦シール部材が劣化した場合も同様である。
【０００４】
本発明は、縦枠および縦框間の止水ラインを越えて脱衣室側に侵入した排水を、脱衣室床に達しないようにする建具のシール構造およびこれを備えた浴室建具を提供することを課題としている。
【課題を解決するための手段】
【０００５】
本発明の建具のシール構造は、建具枠とこれに開閉自在に装着された障子とから成り、縦方向の止水ラインを構成する縦シール部材により建具枠の各縦枠と閉塞状態の障子の各縦框との間をシールするようにした建具のシール構造において、障子、各縦枠および建具枠の下枠により画成される脱衣室側の各コーナー部分に、それぞれ水返しブロックを備え、各水返しブロックは、止水ラインを越えて脱衣室側に侵入し各縦枠および各縦框を伝って流下する排水を、下側から受けて貯留する貯留部を有していることを特徴とする。
【０００６】
この構成によれば、止水ラインを越えて脱衣室側に侵入し各縦枠および各縦框を伝って流下する排水は、水返しブロックの貯留部に受けられ、これに貯留される。このため、脱衣室側に侵入した排水が、最終的に下枠から脱衣室床に流れ込んでしまうことがない。また、障子、各縦枠および建具枠の下枠により画成される脱衣室側の各コーナー部分は、いわゆるデットスペースであり、浴室への出入りにあたり水返しブロックが邪魔になることがない。
【０００７】
この場合、水返しブロックは、弾力性を有するシール性材料で構成され、水返しブロックの縦框に対峙する縦框当接部は、閉塞状態の前記縦框に密接すると共に閉塞状態の前記縦框により閉蓋される前記貯留部の排水開口部を有していることが、好ましい。
【０００８】
この構成によれば、障子が開放されると、縦框と水返しブロックの縦框当接部との密接状態が解かれると共に排水開口部が開蓋されるため、水返しブロックに貯留されている排水を、排水開口部を介して浴室側に流下（押し戻す）させることができる。このため、排水が水返しブロックの貯留部から溢れることがない。
【０００９】
この場合、貯留部の底面は、排水開口部に向かって下り勾配に形成されていることが、好ましい。
【００１０】
この構成によれば、障子が開放されときに、水返しブロックに貯留された排水を円滑に且つすべて浴室側に流下させることができる。
【００１１】
これらの場合、水返しブロックの縦枠に対峙する縦枠当接部は、縦枠に密接していることが、好ましい。
【００１２】
この構成によれば、縦枠の下部を貯留部の周壁の一部として利用することができると共に、縦枠を伝わって流下する排水を貯留部に円滑に導くことができる。
【００１３】
これらの場合、下枠の脱衣室側には、障子の脱衣室側下端部に密接する下枠シール部材が設けられ、下枠シール部材の各小口は、各水返しブロックの側面に密接していることが、好ましい。
【００１４】
この構成によれば、下枠シール部材の小口と水返しブロックの側面とが密接しているため、水返しブロックによって、下枠シール部材廻りのシール性が損なわれることがない。
【００１５】
これらの場合、各水返しブロックは、下枠の小口から略「Ｕ」字状に切り込んだ切欠き部に、見付け方向から上方へ抜止め状態でスライド装着されていることが、好ましい。
【００１６】
この構成によれば、水返しブロックをその機能を損なうことなく、下枠に簡単に取り付ける（固定）ことができる。また、水返しブロックを下枠に固定するためのビス等が露出することがない。
【００１７】
本発明の浴室建具は、上記した建具のシール構造を備えたことを特徴とする。
【００１８】
この構成によれば、障子の熱反りや縦枠シール自身の劣化等により、脱衣室側に排水が侵入することがあっても、脱衣室床が排水により汚染されることがない。このため、浴室建具全体としてシール性を安定化させることができる。なお、浴室建具としては、ドア、折戸、引戸等が考えられる。
【発明の効果】
【００１９】
以上のように本発明によれば、両コーナー部分に水返しブロックを設けるようにしているので、例え止水ラインを超えて脱衣室側に排水が侵入しても、この排水が脱衣室床を濡らすのを防止することができる。したがって、シール性に関し信頼性のある建具を提供することができる。
【発明を実施するための最良の形態】
【００２０】
以下、添付図面を参照して、本発明の一実施形態に係る建具のシール構造を浴室ドアに適用した場合について説明する。この浴室は、脱衣室との間にほぼ段差を無くした（実際には３ｍｍの段差がある）バリアフリー設計となっており、ユニットバスで構成した浴室と脱衣室との間の出入口に、浴室ドアが取り付けられている。図１は浴室ドアの縦断面図、図２はその横断面図であり、両図に示すように、浴室ドア１は、出入口開口部を構成するドア枠（建具枠）２と、上下のヒンジピン（上ヒンジピン４ａおよび下ヒンジピン４ｂ）４により、ドア枠２に開閉自在に支持された障子である扉体３と、で構成されている。下ヒンジピン４ｂは、いわゆるグラビティヒンジで構成されており、扉体３は、開放の初期動作において、徐々に上昇しながら開放され、また閉塞の終期動作において、徐々に下降しながら閉塞される。
【００２１】
ドア枠２は、それぞれアルミニウムの形材等で形成した上枠１１、下枠１２、戸先側縦枠１３および吊元側縦枠１４を方形に枠組みして、構成されている。一方、扉体３は、それぞれアルミニウムの形材等で形成した上框２１、下框２２、戸先縦框２３および吊元縦框２４を方形に框組みし、これに樹脂製のパネル体２５を装着して、構成されている。そして、ユニットバスの防水パン５で構成され
る浴室床６と、ドア枠２１の下枠３２と、脱衣室Ｂの脱衣室床７とはほぼ面一に、すなわち段差が生じないように配設されている。また、下枠１２と戸先側縦枠１３と閉塞状態の戸先縦框２３とで構成される脱衣室Ｂ側の下部コーナー部分（右側）、および下枠１２と吊元側縦枠１４と閉塞状態の吊元縦框２４とで構成される脱衣室Ｂ側の下部コーナー部分（左側）には、下枠１２に固定されるようにしてそれぞれ水返しブロック８，８が配設されている（詳細は後述する）。
【００２２】
上枠１１は、浴室Ａ側の上枠鉛直片３２および上枠鉛直片３２の下端から脱衣室Ｂ側に延びる上枠水平片３３とから成る上枠本体３１と、上枠水平片３３の見込み方向中間部に下向き「Ｃ」字状に形成したヒンジ取付溝３４と、上枠水平片３３の脱衣室Ｂ側の端部を水平に延設した上枠見切り片３５と、上枠水平片３３の脱衣室Ｂ側の端部から下方に延びる上枠シール取付片３６と、で一体に形成されている。そして、ヒンジ取付溝３４には、上ヒンジピン（上固定ピース４ａａ）４ａが取り付けられ、また上枠シール取付片３６には、上框２１の脱衣室Ｂの見付け面に密接する上枠シール部材３７が装着されている。
【００２３】
下枠１２は、浴室Ａ側を防水パン５の支持片部５ａに載置されると共に、上面の浴室側半部を傾斜面４１ａとした中空形状の下枠本体４１と、下枠本体４１の上端から脱衣室Ｂ側に延びる下枠シール取付片４２と、下枠シール取付片４２から更に脱衣室Ｂ側に延設された下枠見切り片４３と、で一体に形成されている。そして、下枠シール取付片４２には、後述する下框シール部材７７の脱衣室Ｂ側に密接する下枠シール部材４４が斜め上向きに装着されている。また、下枠本体４１の吊元側には、ブロック状に形成した下ヒンジピン（下固定ピース４ｂａ）４ｂが取り付けられている。なお、上ヒンジピン４ａおよび下ヒンジピン４ｂは、吊元縦框２４の見込み方向の中間位置より浴室Ａ側に寄った位置（偏心位置）に配設されている。また、下枠本体４１の先端側と防水パン５の支持片部５ａとの間には、図示しないがコーキング等によりシールが為されている。
【００２４】
一方、戸先側縦枠１３は、見込み方向に長い方形の中空部５２と中空部５２の内板を延長した平板片５３とを有する縦枠本体５１と、縦枠本体５１の脱衣室Ｂ側の端部を見込み方向に延設した縦枠見切り片５４と、中空部５２の内側に突設したシール受け突起５５ａと、縦枠見切り片５４の基部から内側の延びる縦枠シール取付片５６とで、一体に形成されている。そして、縦枠シール取付片５６には、戸先縦框２３に密接する二股形状の縦枠シール部材５７が装着され、シール受け突起５５には、後述する戸先縦框２３の戸先側シール部材８９が密接するようになっている。
【００２５】
同様に、吊元側縦枠１４は、見込み方向に長い方形の中空部５２と中空部５２の内板を延長した平板片５３とを有する縦枠本体５１と、縦枠本体５１の脱衣室Ｂ側の端部を見込み方向に延設した縦枠見切り片５４と、中空部５２の内側に突設したシール装着突起５５ｂと、縦枠見切り片５４の基部から内側の延びる縦枠シール取付片５６とで、一体に形成されている。この場合、吊元側縦枠１４と戸先側縦枠１３とは同一の断面形状を有し、左右対称となるように配設されている。そして、縦枠シール取付片５６には、吊元縦框２４に密接する二股形状の縦枠シール部材５７が装着され、シール装着突起５５ｂには、吊元側シール部材５９が装着されている。
【００２６】
一方、上框２１は、方形中空形状の上框本体６１と、上框本体６１の上側に連なる上向き開放部６２と、上框本体６１の下側に連なる上框パネル装着部６３と、で一体に形成されている。
【００２７】
下框２２は、開閉機構７２を組み込んだ上下２連の換気口７３，７３を形成した下框本体７１と、下框本体７１の上側に連なる下框パネル装着部７４と、下框本体７１の下側に連なる下向き開放部７５と、下向き開放部７５の下端部に形成した前後（見込み方向）一対の下框シール取付部７６，７６と、で一体に形成されている。両下框シール取付部７６，７６には、下框シール部材７７が装着されている。この下框シール部材７７は、上向き且つ略「Ｃ」字状断面の偏平なシール部材本体７７ａと、シール部材本体７７ａの浴室Ａ側から下垂した長シール片７７ｂと、シール部材本体７７ａの脱衣室Ｂ側から下垂した短シール片７７ｃとから成り、シール部材本体７７ａを硬質樹脂とし長シール片７７ｂおよび短シール片７７ｃを軟質樹脂として、いわゆる２色成形で一体に形成されている。そして、長シール片７７ｂは、下枠１２の浴室Ａ側（傾斜面４１ａの部分）に密接し、短シール片７７ｃは、下枠１２の脱衣室Ｂ側（下枠シール取付片４２の近傍部分）に密接するようになっている。
【００２８】
戸先縦框２３は、略方形中空形状の戸先縦框本体８１と、戸先縦框本体８１の見付け方向内側に連なる縦框パネル装着部８２と、戸先縦框本体８１の見付け方向外側に連なる浴室Ａ側の縦框シール取付部８３および脱衣室Ｂ側の縦框シール受け部８４と、で一体に形成されている。戸先縦框本体８１の内外の見付け面には一対のハンドル８５，８６がそれぞれ取り付けられている。また、戸先縦框本体８１の中空部内には、内外両ハンドル８５，８６によって操作されるドア錠８７が組み込まれている。一方、縦框シール取付部８３には、上記のシール受け突起５５ａに浴室Ａ側から密接する戸先側シール部材８９が装着され、縦框シール受け部８４には、上記の縦枠シール部材５７が密接するようになっている。
【００２９】
吊元縦框２４は、見付け方向外側の２つの隅部を円弧状に形成した略方形中空形状の吊元縦框本体９１と、吊元縦框本体９１の見付け方向内側に連なる縦框パネル装着部９２と、吊元縦框本体９１の外端部に形成した浅溝状の中間シール取付部９３と、で一体に形成されている。吊元縦框本体９１の上端部に上ピンヒンジ４ａの上可動ピース４ａｂが組み込まれ、下端部に下ピンヒンジ４ｂの下可動ピース４ｂｂが組み込まれている。また、吊元縦框２４の上端部には、上可動ピース４ａｂのピンを下動させて上固定ピース４ａａから離脱させる離脱機構９４が組み込まれている。そして、中間シール取付部９３には中間部シール部材９５が装着される一方、吊元縦框本体９１の浴室Ａ側の円弧状部分９１ａには上記の吊元側シール部材５９が密接し、脱衣室Ｂ側の円弧状部分９１ｂには上記の縦枠シール部材５７が密接するようになっている。
【００３０】
このように、ドア枠２と扉体３の間にあって、見込み方向の脱衣室Ｂ側では、上枠シール部材３７、下枠シール部材４４、短シール片７７ｃおよび両縦枠シール部材５７，５７により、四周に亘ってシールが行われ（脱衣室Ｂ側の止水ライン）、浴室Ａ側では、長シール片７７ｂ、戸先側シール部材８９、中間部シール部材９５および吊元側シール部材５９により、「Ｕ」字状にシールが行われる（浴室Ａ側の止水ライン）。この場合、特に下枠１２と下框２２との間は、長シール片７７ｂ、短シール片７７ｃおよび下枠シール部材４４により３重にシールされ、また吊元側縦枠１４と吊元縦框２４との間は、縦枠シール部材５７、中間部シール部材９５および吊元側シール部材５９により３重にシールされている。
【００３１】
ところで、上記のような２重、３重のシール構造をとっても、例えば浴室Ａの使用により浴室Ａと脱衣室Ｂとの温度差が大きくなると、アルミサッシである各縦框２３，２４が熱膨張による反り（熱反り）、縦枠シール部材（吊元側シール部材５９）５７の密接状態が不安定（特に上下の中間位置）になってシール切れが発生するおそれがある。そこで、本実施形態では、両縦枠シール部材５７，５７により構成される縦止水ラインを越えて脱衣室Ｂ側に侵入した排水を、脱衣室床７に達しないように脱衣室Ｂ側の下部コーナー部分に一対の水返しブロック８，８を設けている。
【００３２】
ここで、図３、図４および図５を参照して、水返しブロック８廻りのシール構造について、詳細に説明する。なお、左右の水返しブロック８，８は左右対称形状に形成されている。各水返しブロック８は、ゴム、軟質樹脂、発泡樹脂等のシール性材料で一体に形成されており、見付け方向の外側の面を各縦枠１３，１４の縦枠見切り片５４に密接し、見込み方向の浴室Ａ側の面を各縦枠１３，１４の縦枠シール取付片５６および閉塞状態の各縦框２３，２４に密接し、さらに下面を下枠１１の下枠シール取付片４２および下枠見切り片４３に密接するように配設されている。また、各水返しブロック８の内側面には、下枠シール部材４４がその小口を突き当てるようにして密接している。
【００３３】
水返しブロック８は、「Ｌ」字状に窪入形成した貯留部１０２を有するブロック本体１０１と、ブロック本体１０１の下側に連なると共に下枠シール取付片４２および下枠見切り片４３の部位に着座する着座部１０３と、着座部１０３の脱衣室Ｂ側の下側に連なる装着部１０４と、で一体に形成されている。装着部１０４は、小口から方形に切欠くように下枠見切り片４３に形成した「Ｕ」字状の切欠き部４３ａに装着される部位であり、切欠き部４３ａの幅に対応する見込み幅および下枠見切り片４３の厚みに対応する長さを有するネック部１０６と、ネック部１０６の下端に連なる抜止め板部１０７とで構成されている。水返しブロック８は、ネック部１０６を切欠き部４３ａに位置合わせして見付け方向にスライド装着することにより、下枠見切り片４３に取り付けられる（図５（ｃ）参照）。そして、下枠１２に縦枠１３，１４を組み込んだ状態で水返しブロック８は、これに縦枠１３，１４の縦枠見切り片５４および縦枠シール取付片５６が密接して、不動に固定されるようになっている。
【００３４】
着座部１０３は、その下面を下枠シール取付片４２および下枠見切り片４３の表面に密接すべく、これらの表面形状に合わせて形成されている。また、装着部１０４を形成した脱衣室Ｂ側の部位は板状に形成され、下枠見切り片４３の脱衣室側Ｂ端の位置まで延びている。
【００３５】
ブロック本体１０１は、平面視「Ｌ」字状に形成されており、その内側に、縦枠シール取付片５６の背面に密接する縦枠密接部１０９、および縦枠シール取付片５６を回り込んで縦框２３，２４の脱衣室Ｂ側の面および縦枠シール部材５７に密接する縦框密接部１１０を有すると共に、外側に、「Ｌ」字状の周壁部１１１を有している。そして、この周壁部１１１の内側に、縦框密接部１１０に向かって下り勾配となる「Ｌ」字状の底面１０２ａを有する貯留部１０２が構成されている。この場合、貯留部１０２は、縦枠密接部１０９および縦框密接部１１０が上記の密接状態を維持することで実質的に排水を貯留する機能を奏すると共に、扉体３が開放し縦框２３，２４が縦框密接部１１０から離れた状態で、この縦框密接部１１０の上部が貯留部１０２の排水を浴室Ａ側に流下させる排水開口部１１２として機能する。
【００３６】
なお、通常の浴室（ユニットバス）において、浴槽から人間一人分の湯が溢れる場合、排水トラップが満水状態となって、短時間（３０秒前後）ではあるが、排水が洗い場に最大４０ｍｍ程度貯留する。そこで実施形態の水返しブロック８では、その高さ（周壁部１１１の高さ）を４０ｍｍに設計している。これにより、最悪の条件下でも貯留部１０２から排水が溢れるのを防止している。
【００３７】
このような構成では、熱反り等により縦止水ライン（縦枠シール部材５７）から脱衣室Ｂ側に漏れた排水は、縦枠シール部材５７の背面やその近傍に位置する縦枠シール取付片５６の先端部或いは縦框２３，２４の脱衣室Ｂ側面を伝わって下方に流れ、水返しブロック８の貯留部１０２に流入する。その後、扉体３を開放すると、縦框２３，２４が縦框密接部１１０から離れ排水開口部１１２が開放されるため、貯留部１０２の排水は排水開口部１１２から浴室Ａ側に流下し、下枠本体４１の上面を流れて浴室Ａ側に押し戻される。
【００３８】
このように、脱衣室Ｂ側の下部コーナー部分に左右一対の水返しブロック８，８を設けることにより、縦止水ラインから脱衣室Ｂ側に漏れた排水をいったん貯留した後、浴室Ａ側に押し戻すことができ、例え排水が脱衣室Ｂ側に漏れても脱衣室床７を濡らすことがない。また、下枠シール部材４４の両小口を両水返しブロック８，８の側面に密接させるようにしているため、水返しブロック８によって下枠シール部材４４廻りのシール性が損なわれることがない。
【００３９】
なお、本実施形態の水返しブロックの形態は、縦止水ラインから脱衣室側に漏れた排水を受け且つ貯留することができ得れば、実施形態のものに限定されるものではない。また、本発明のシール構造は、浴室ドアの他、浴室折戸、浴室引戸等にも適用可能である。
【図面の簡単な説明】
【００４０】
【図１】本発明の実施形態に係る浴室ドアの縦断面図である。
【図２】実施形態に係る浴室ドアの横断面図である。
【図３】水返しブロック廻りの拡大縦断面図である。
【図４】水返しブロック廻りの拡大横断面図である。
【図５】水返しブロックの構造図（ａ）（ｂ）、取付け説明図（ｃ）である。
【符号の説明】
【００４１】
１  浴室ドア、２  ドア枠、３  扉体、７  脱衣室床、８  水返しブロック、１２  下枠、１３  戸先側縦枠（縦枠）、１４  吊元側縦枠（縦枠）、２３  戸先縦框（縦框）、２４  吊元縦框（縦框）、４２  下枠シール取付片、４３  下枠見切り片、４３ａ  切欠き部、４４  下枠シール部材、５４  縦枠見切り片、５６  縦枠シール取付片、５７  縦枠シール部材、１０１  ブロック本体、１０２  貯留部、１０２ａ  底面、１０４  装着部、１０９  縦枠密接部、１１０  縦框密接部、１１２  排水開口部、Ａ  浴室、Ｂ  脱衣室
【図１】
2005336927.tif 000003
【図２】
2005336927.tif 000004
【図３】
2005336927.tif 000005
【図４】
2005336927.tif 000006
【図５】
2005336927.tif 000007